(57)【要約】【課題】多様化する電気料金プランに対応して電気料金を抑制することができる充放電制御装置、充放電制御方法及びプログラムを提供する。【解決手段】発電装置１３が発電した発電電力、及び、系統２００からの系統電力を充電するための蓄電池１４の充放電を制御する充放電制御装置であって、所定の期間における、系統電力の買電単価と売電単価との間の大小関係、並びに、需要家における電力需要の予測値及び発電装置１３の発電量の予測値に応じて、蓄電池１４の放電量及び充電量を算出する算出部１１と、所定の期間において、蓄電池１４の充放電及び充放電のタイミングを算出部１１が算出した放電量及び充電量に応じて制御する制御部と、を備える。【選択図】図１
2019004529.tif 000002
【特許請求の範囲】
【請求項１】
発電装置が発電した発電電力、及び、系統からの系統電力を充電するための蓄電池の充放電を制御する充放電制御装置であって、
所定の期間における、前記系統電力の買電単価と売電単価との間の大小関係、並びに、需要家における電力需要の予測値及び前記発電装置の発電量の予測値に応じて、前記蓄電池の放電量及び充電量を算出する算出部と、
前記所定の期間において、前記蓄電池の充放電及び充放電のタイミングを前記算出部が算出した前記放電量及び前記充電量に応じて制御する制御部と、を備える
充放電制御装置。
【請求項２】
前記算出部は、
前記買電単価と前記売電単価との間の大小関係に基づいて、前記発電電力が前記電力需要を上回った場合の余剰電力を前記蓄電池に充電するか否か判断し、
前記余剰電力を前記蓄電池に充電すると判断した場合、前記電力需要の予測値及び前記発電量の予測値に応じて、前記余剰電力に基づく前記蓄電池の充電量を算出する
請求項１に記載の充放電制御装置。
【請求項３】
前記算出部は、
前記所定の期間に亘って前記買電単価が前記売電単価よりも小さい場合、前記発電電力が前記電力需要を上回った場合の余剰電力を前記蓄電池に充電せずに売電すると判断し、
前記所定の期間に亘って前記買電単価が前記売電単価よりも大きい場合、前記余剰電力を前記蓄電池に充電すると判断する
請求項１又は２に記載の充放電制御装置。
【請求項４】
前記所定の期間には、低価格時間帯と当該低価格時間帯よりも前記買電単価が大きい高価格時間帯とが含まれ、
前記算出部は、
少なくとも前記高価格時間帯における前記電力需要が前記発電電力を上回った場合の、前記発電電力では賄いきれない電力である不足電力量が発生するか否かに基づいて、前記系統電力を前記蓄電池に充電するか否か判断し、
前記系統電力を前記蓄電池に充電すると判断した場合、前記電力需要の予測値及び前記発電量の予測値に応じて、前記系統電力に基づく前記蓄電池の放電量及び充電量を算出する
請求項１〜３のいずれか１項に記載の充放電制御装置。
【請求項５】
前記算出部は、前記低価格時間帯での前記系統電力の前記蓄電池への充電量を算出し、
前記制御部は、前記低価格時間帯において、前記蓄電池の充電及び充電のタイミングを前記算出部が算出した前記充電量に応じて制御する
請求項４に記載の充放電制御装置。
【請求項６】
前記算出部は、電気料金が最安値となる前記蓄電池の放電量を算出し、
前記制御部は、前記蓄電池の放電及び放電のタイミングを前記算出部が算出した前記放電量に応じて制御する
請求項４又は５に記載の充放電制御装置。
【請求項７】
前記高価格時間帯には、少なくとも第１高価格時間帯と当該第１高価格時間帯よりも前記買電単価が大きい第２高価格時間帯とが含まれ、
前記制御部は、前記第１高価格時間帯における不足電力量及び前記第２高価格時間帯における不足電力量、並びに、前記蓄電池の容量に応じて、前記蓄電池の放電の開始時刻を決定する
請求項４〜６のいずれか１項に記載の充放電制御装置。
【請求項８】
前記算出部は、前記低価格時間帯の開始時刻の所定の時間前に、前記蓄電池の放電量及び充電量を算出し、
前記制御部は、前記低価格時間帯の開始時刻からの前記所定の期間において、前記蓄電池の充放電及び充放電のタイミングを前記算出部が算出した前記放電量及び前記充電量に応じて制御する
請求項４〜７のいずれか１項に記載の充放電制御装置。
【請求項９】
発電装置が発電した発電電力、及び、系統からの系統電力を充電するための蓄電池の充放電を制御する充放電制御装置の動作を制御する充放電制御方法であって、
所定の期間における、前記系統電力の買電単価と売電単価との間の大小関係、並びに、需要家における電力需要の予測値及び前記発電装置の発電量の予測値に応じて、前記蓄電池の放電量及び充電量を算出し、
前記所定の期間において、前記蓄電池の充放電及び充放電のタイミングを算出した前記放電量及び前記充電量に応じて制御する
充放電制御方法。
【請求項１０】
発電装置が発電した発電電力、及び、系統からの系統電力を充電するための蓄電池の充放電を制御する充放電制御装置の動作を制御するプログラムであって、
前記充放電制御装置が備えるコンピュータに、
所定の期間における、前記系統電力の買電単価と売電単価との間の大小関係、並びに、需要家における電力需要の予測値及び前記発電装置の発電量の予測値に応じて、前記蓄電池の放電量及び充電量を算出させ、
前記所定の期間において、前記蓄電池の充放電及び充放電のタイミングを算出させた前記放電量及び前記充電量に応じて制御させる
プログラム。
【発明の詳細な説明】
【技術分野】
【０００１】
本発明は、蓄電池の充放電を制御する充放電制御装置、充放電制御方法及びプログラムに関する。
【背景技術】
【０００２】
現状、系統からの系統電力の買電単価（電気料金）が時刻に応じて一定であったり、変動したりする電気料金プランが存在する。発電装置と蓄電池とを備えた需要家は、例えば、夜間に買電単価が安くなり昼間に買電単価が高くなる電気料金プランを選択する。このような場合に、電気料金を抑制するために蓄電池の充放電を制御する充放電制御装置が知られている。例えば、充放電制御装置は、買電単価の小さい夜間に系統電力を蓄電池に充電しておき、買電単価の大きい昼間等には、夜間等に蓄電池に充電した電力及び発電装置の発電電力で需要家が必要とする電力を賄う制御を行う。特許文献１には、このような充放電制御装置に関する技術が開示されている。
【先行技術文献】
【特許文献】
【０００３】
【特許文献１】特開２０１５−５３８１０号公報
【発明の概要】
【発明が解決しようとする課題】
【０００４】
ところで、現状の電気料金プランは、日毎に変化するものではなく固定的であるため、従来の充放電制御装置は、予め定められた電気料金プランに応じた制御を日毎同じように行っている。しかしながら、将来的に電力が自由化されるにあたり、電気料金プランが多様化し、日毎に電気料金プランが変化することが想定される。
【０００５】
また、現状の発電電力の余剰電力の売電単価は、買電単価よりも大きく、従来の充放電制御装置は、売電単価が買電単価よりも大きいことを想定した制御をしている。しかしながら、将来的に太陽光発電が普及するにあたり、売電単価の値下がりが想定される。これにより、電気料金プラン、時刻、季節等によっては、売電単価が買電単価よりも安くなることが想定される。
【０００６】
このように、将来的に、電気料金プランが多様化し、買電単価及び売電単価が日毎に変化することが想定される。
【０００７】
そこで本発明は、多様化する電気料金プランに対応して電気料金を抑制することができる充放電制御装置、充放電制御方法及びプログラムを提供することを目的とする。
【課題を解決するための手段】
【０００８】
本発明の一態様に係る充放電制御装置は、発電装置が発電した発電電力、及び、系統からの系統電力を充電するための蓄電池の充放電を制御する充放電制御装置であって、所定の期間における、前記系統電力の買電単価と売電単価との間の大小関係、並びに、需要家における電力需要の予測値及び前記発電装置の発電量の予測値に応じて、前記蓄電池の放電量及び充電量を算出する算出部と、前記所定の期間において、前記蓄電池の充放電及び充放電のタイミングを前記算出部が算出した前記放電量及び前記充電量に応じて制御する制御部と、を備える。
【０００９】
本発明の一態様に係る充放電制御方法は、発電装置が発電した発電電力、及び、系統からの系統電力を充電するための蓄電池の充放電を制御する充放電制御装置の動作を制御する充放電制御方法であって、所定の期間における、前記系統電力の買電単価と売電単価との間の大小関係、並びに、需要家における電力需要の予測値及び前記発電装置の発電量の予測値に応じて、前記蓄電池の放電量及び充電量を算出し、前記所定の期間において、前記蓄電池の充放電及び充放電のタイミングを算出した前記放電量及び前記充電量に応じて制御する。
【００１０】
本発明の一態様に係るプログラムは、発電装置が発電した発電電力、及び、系統からの系統電力を充電するための蓄電池の充放電を制御する充放電制御装置の動作を制御するプログラムであって、前記充放電制御装置が備えるコンピュータに、所定の期間における、前記系統電力の買電単価と売電単価との間の大小関係、並びに、需要家における電力需要の予測値及び前記発電装置の発電量の予測値に応じて、前記蓄電池の放電量及び充電量を算出させ、前記所定の期間において、前記蓄電池の充放電及び充放電のタイミングを算出させた前記放電量及び前記充電量に応じて制御させる。
【発明の効果】
【００１１】
本発明に係る充放電制御装置、充放電制御方法及びプログラムによれば、多様化する電気料金プランに対応して電気料金を抑制することができる。
【図面の簡単な説明】
【００１２】
【図１】図１は、実施の形態に係る充放電制御システムの一例を示す構成図である。
【図２】図２は、発電量の実績データ及び電力需要の実績データの一例を示すテーブルである。
【図３】図３は、実施の形態に係る充放電制御システムの動作の一例を示すフローチャートである。
【図４】図４の（ａ）は、買電単価が時刻に応じて変動しない場合の買電単価と売電単価との間の大小関係の一例を示す図である。図４の（ｂ）は、実施の形態に係る充放電制御装置の買電単価が時刻に応じて変動しない場合の動作の一例を示す図である。
【図５】図５の（ａ）は、買電単価が時刻に応じて変動しない場合の買電単価と売電単価との間の大小関係の他の一例を示す図である。図５の（ｂ）は、実施の形態に係る充放電制御装置の買電単価が時刻に応じて変動しない場合の動作の他の一例を示す図である。
【図６】図６の（ａ）は、買電単価が時刻に応じて変動する場合の買電単価と売電単価との間の大小関係の一例を示す図である。図６の（ｂ）は、実施の形態に係る充放電制御装置の買電単価が時刻に応じて変動する場合の動作の一例を示す図である。
【図７】図７の（ａ）は、買電単価が時刻に応じて変動する場合の買電単価と売電単価との間の大小関係の他の一例を示す図である。図７の（ｂ）は、実施の形態に係る充放電制御装置の買電単価が時刻に応じて変動する場合の動作の他の一例を示す図である。
【図８】図８の（ａ）は、買電単価が時刻に応じて変動する場合の買電単価と売電単価との間の大小関係の他の一例を示す図である。図８の（ｂ）は、実施の形態に係る充放電制御装置の買電単価が時刻に応じて変動する場合の動作の他の一例を示す図である。
【図９】図９は、実施の形態に係る充放電制御装置の蓄電池の放電量で不足電力量の全てを賄いきれない場合の動作の一例を示す図である。
【図１０】図１０の（ａ）は、実施の形態に係る制御部の第１高価格時間帯に蓄電池の放電を開始する動作の一例を示す図である。図１０の（ｂ）は、実施の形態に係る制御部の第２高価格時間帯に蓄電池の放電を開始する動作の一例を示す図である。
【図１１】図１１の（ａ）は、実施の形態に係る制御部の第１高価格時間帯に蓄電池の放電を開始する動作の他の一例を示す図である。図１１の（ｂ）は、実施の形態に係る制御部の第２高価格時間帯に蓄電池の放電を開始する動作の他の一例を示す図である。
【発明を実施するための形態】
【００１３】
以下、本発明の実施の形態について、図面を用いて詳細に説明する。なお、以下で説明する実施の形態は、いずれも本発明の好ましい一具体例を示す。以下の実施の形態で示される数値、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密に図示されたものではない。
【００１４】
（実施の形態）
以下、実施の形態について、図１から図１１を用いて説明する。
【００１５】
［充放電制御システムの構成］
図１は、実施の形態に係る充放電制御システム１の一例を示す構成図である。
【００１６】
充放電制御システム１では、需要家１００における負荷７０へ系統２００からの系統電力、発電装置１３からの発電電力及び蓄電池１４に充電された電力が供給される。ここで、需要家１００に設置されている複数の機器をまとめて負荷７０と呼んでいる。また、充放電制御システム１では、系統電力及び発電電力が蓄電池１４に充電される。充放電制御システム１は、充放電制御装置１０、発電装置１３、蓄電池１４、取得部２０、記憶部３０、予測部４０、パワコン（パワーコンディショナ）５０、分電盤６０及び負荷７０を備える。
【００１７】
充放電制御装置１０は、算出部１１及び制御部１２を備える。充放電制御装置１０は、系統電力の蓄電池１４への充電、系統電力の負荷７０への供給、発電電力の蓄電池１４への充電、発電電力の負荷７０への供給及び蓄電池１４に充電された電力の負荷７０への放電を制御する。
【００１８】
発電装置１３は、負荷７０に供給するための電力、系統２００へ売電するための電力、及び、蓄電池１４に充電するための電力を発電する装置である。発電装置１３は、本実施の形態では、太陽光発電装置であり、太陽光を受けることができる時間帯に発電することができる。発電装置１３が発電した発電電力は、後述するパワコン５０を介して負荷７０へ供給、蓄電池１４に充電、又は、系統２００へ売電される。本実施の形態では、発電装置１３が発電した発電電力が需要家１００における負荷７０の消費電力（電力需要）を上回った余剰電力が蓄電池１４に充電、又は、系統２００へ売電される。なお、発電装置１３は、太陽光発電装置に限らず、風力発電装置、水力発電装置、又は燃料電池等の発電することが可能な装置であればよい。
【００１９】
蓄電池１４は、発電装置１３が発電した発電電力、及び、系統２００からの系統電力を充電する。蓄電池１４は、発電電力のうち、発電電力が負荷７０の消費電力を上回った余剰電力を充電する。
【００２０】
算出部１１は、所定の期間における、系統電力の買電単価と売電単価との間の大小関係、並びに、需要家１００における負荷７０の消費電力量である電力需要の予測値及び発電装置１３の発電量の予測値に応じて、蓄電池１４の放電量及び充電量を算出する。電力需要の予測値及び発電量の予測値は、後述する予測部４０が算出する値である。所定の期間は、例えば所定の時刻からの２４時間である。
【００２１】
制御部１２は、所定の期間において、蓄電池１４の充放電及び充放電のタイミングを、算出部１１が算出した放電量及び充電量に応じて制御する。つまり、算出部１１は、所定の期間における蓄電池１４の放電量及び充電量を予め算出しておき、制御部１２は、所定の期間において蓄電池１４の充放電量が、算出部１１が算出した放電量及び充電量になるように蓄電池１４を制御する。なお、制御部１２は、蓄電池１４の充放電量を算出部１１が算出した放電量及び充電量の絶対値で制御してもよく、ＳＯＣ（Ｓｔａｔｅ  Ｏｆ  Ｃｈａｒｇｅ：充電割合）で制御してもよい。算出部１１及び制御部１２については、後述する図３から図１１で詳細に説明する。なお、算出部１１及び制御部１２は、例えば、充放電制御装置１０が備える記憶部（図示せず）等に記憶された制御プログラムを実行するプロセッサであるが、マイクロコンピュータ又は専用回路等により実現されてもよい。また、図１では、制御部１２が蓄電池１４の充放電を制御することを、模式的に制御部１２から蓄電池１４への矢印で示されているが、実際には、制御部１２はパワコン５０を介して蓄電池１４の充放電を制御する。また、図１では、充放電制御装置１０は、需要家１００内に備えられているが、外部の装置であってもよく、例えば、ネットワーク経由で蓄電池１４の充放電を制御してもよい。
【００２２】
取得部２０は、通信部（図示せず）を備え、発電装置１３の発電量の実績データを発電装置１３から取得し、負荷７０の消費電力量（電力需要）の実績データを負荷７０から取得し、天気予報データ及び価格データを例えば外部のサーバ等から取得する。天気予報データには、過去の天気の実績データと将来の天気の予測データとが含まれる。発電量の実績データ、電力需要の実績データ及び天気予報データについては、後述する図２で詳細に説明する。価格データは、所定の期間における系統電力の買電単価と余剰電力の売電単価に関するデータである。所定の期間は、上述したように、例えば所定の時刻からの２４時間であり、取得部２０は、所定の時刻から２４時間の買電単価及び売電単価に関するデータを例えば２４時間毎に取得する。価格データについては、後述する図４の（ａ）から図８の（ａ）で、買電単価及び売電単価の例を示しながら詳細に説明する。取得部２０は、取得した発電量の実績データ、電力需要の実績データ、天気予報データ及び価格データを記憶部３０に記憶する。
【００２３】
記憶部３０は、取得部２０が取得した発電量の実績データ、電力需要の実績データ、天気予報データ及び価格データを記憶する記憶装置である。記憶部３０は、例えば、半導体メモリ等により実現される。
【００２４】
予測部４０は、記憶部３０に記憶された電力需要の実績データから電力需要の予測値、発電量の実績データ及び天気予報データから、発電量の予測値を算出する。電力需要の予測値及び発電量の予測値については、後述する図２で詳細に説明する。予測部４０は、算出した電力需要の予測値及び発電量の予測値を算出部１１に通知する。また、予測部４０は、記憶部３０に記憶された価格データを算出部１１に通知する。なお、算出部１１は、記憶部３０に記憶された価格データを記憶部３０から直接取得してもよい。
【００２５】
パワコン５０は、系統２００、発電装置１３、蓄電池１４及び負荷７０の間で電力を所望の電力に変換する装置である。具体的には、パワコン５０は、発電装置１３及び蓄電池１４から供給される直流電力を交流電力に変換する。また、パワコン５０は、蓄電池１４へ供給する電力を交流電力から直流電力に変換する。
【００２６】
分電盤６０は、系統２００、発電装置１３及び蓄電池１４から供給される電力を負荷７０（複数の機器）に供給する制御を行う。分電盤６０は、ブレーカ、リレー等を備える。
【００２７】
負荷７０は、需要家１００に設けられた複数の機器を示すものであり、例えば、需要家１００に設けられたエアコン、冷蔵庫、テレビ、照明器具等の電気機器である。
【００２８】
なお、図１に示される構成要素間をつなぐ実線は、電力の経路を示し、破線の矢印は信号の経路を示す。
【００２９】
［発電電力の実績データ及び消費電力の実績データ］
次に、記憶部３０に記憶される発電装置１３の発電電力の実績データ及び負荷７０の消費電力の実績データについて、図２を用いて説明する。
【００３０】
図２は、発電量の実績データ及び電力需要の実績データの一例を示すテーブルである。
【００３１】
図２に示される電力需要は、予測部４０が所定の時刻（例えば０時）以後所定の期間（例えば２４時間）の電力需要の予測値を算出するための、取得部２０が取得した所定の時刻以前の２４時間の電力需要の実績データである。図２に示される時刻０時の電力需要３５０Ｗｈは、過去の０時から１時の電力需要の実績が３５０Ｗｈであったことを意味する。そして、予測部４０は、取得部２０が取得した電力需要の実績データから電力需要の予測値を算出する。
【００３２】
図２に示される発電量は、予測部４０が所定の時刻（例えば０時）以後所定の期間（例えば２４時間）の発電装置１３の発電量の予測値を算出するための、取得部２０が取得した所定の時刻以前の２４時間の発電装置１３の発電電力の実績データである。図２に示される時刻６時の発電量２００Ｗｈは、過去の６時から７時の発電電力量の実績が２００Ｗｈであったことを意味する。また、図２に示される天気は、取得部２０が取得した天気予報データのうち所定の時刻以前の２４時間の過去の天気の実績データである。つまり、例えば、図２に示される時刻６時の晴は、過去の６時から７時の天気の実績が晴れであったことを意味する。そして、予測部４０は、取得部２０が取得した発電量の実績データ及び天気予報データから、発電量の予測値を算出する。
【００３３】
なお、需要家１００が備える発電装置（太陽光発電装置）１３は、需要家１００の緯度、経度、太陽電池の容量、設置方位及び設置角度等に対応した、発電量の実績データを予め有していてもよい。
【００３４】
なお、予測部４０は、所定の時刻として０時から所定の期間として２４時間の電力需要の予測値及び発電量の予測値を算出したが、これに限らず、例えば２３時から２４時間の電力需要の予測値及び発電量の予測値を算出してもよい。また、予測部４０は、例えば０時から１２時間の電力需要の予測値及び発電量の予測値を算出してもよい。つまり、電力需要の予測値及び発電量の予測値を算出する時刻及び当該時刻からの期間は限定されない。ただし、電力需要の予測値及び発電量の予測値を算出する時刻には、好ましい時刻があるが、これについては後述する。
【００３５】
このように、記憶部３０には、発電量の実績データ及び電力需要の実績データが記憶され、これに基づいて、予測部４０は、電力需要の予測値及び発電量の予測値を算出する。
【００３６】
［充放電制御システムの動作］
次に、充放電制御システム１の動作について、図３を用いて説明する。
【００３７】
図３は、実施の形態に係る充放電制御システム１の動作の一例を示すフローチャートである。
【００３８】
まず、取得部２０は、発電量の実績データ、電力需要の実績データ、天気予報データ及び価格データを取得する（ステップＳ１１）。
【００３９】
次に、予測部４０は、電力需要の予測値及び発電量の予測値を算出する（ステップＳ１２）。ステップＳ１１及びステップＳ１２での動作の説明は、図２で説明したため省略する。
【００４０】
次に、算出部１１は、所定の期間における、買電単価と売電単価との間の大小関係、並びに、電力需要の予測値及び発電量の予測値に応じて、蓄電池１４の放電量及び充電量を算出する（ステップＳ１３）。
【００４１】
そして、制御部１２は、所定の期間において、蓄電池１４の充放電及び充放電のタイミングを算出部１１が算出した放電量及び充電量に応じて制御する（ステップＳ１４）。ステップＳ１３及びステップＳ１４での動作については、後述する図４から図１１で詳細に説明する。
【００４２】
［充放電制御装置の動作］
ここで、ステップＳ１３及びステップＳ１４の動作（充放電制御装置１０の動作）について、買電単価と売電単価との間の大小関係の例を示した図４から図１１を用いて説明する。
【００４３】
まず、電気料金プランが時刻に応じて変動しない場合の充放電制御装置１０の動作について、図４及び図５を用いて説明する。
【００４４】
図４の（ａ）は、買電単価が時刻に応じて変動しない場合の買電単価と売電単価との間の大小関係の一例を示す図である。図４の（ａ）に示される実線は、買電単価を示し、点線は売電単価を示す。買電単価が２０円／ｋＷｈであり、売電単価が３５円／ｋＷｈであることが示されている。価格データは、図４の（ａ）に示されるように、所定の期間における系統電力の買電単価と余剰電力の売電単価に関するデータである。同様に、後述する図５の（ａ）から図８の（ａ）にも価格データの一例が示される。
【００４５】
図４の（ｂ）は、実施の形態に係る充放電制御装置１０の買電単価が時刻に応じて変動しない場合の動作の一例を示す図である。図４の（ｂ）は、具体的には、所定の期間（例えば２４時間）に亘って買電単価が時刻に応じて変動せず、買電単価が売電単価よりも小さい場合の、充放電制御装置１０の動作の一例を示す図である。図４の（ｂ）に示される実線は、電力需要の予測値を示し、点線は発電量の予測値を示す。また、領域１１０は系統２００から購入する買電量を示す。領域１２０は発電装置１３の発電量のうち電力需要に供給される電力量を示す。領域１３０は発電装置１３の発電電力が負荷７０の消費電力を上回った場合の余剰電力量であり系統２００への売電量を示す。算出部１１は、電力需要の予測値及び発電量の予測値に応じて、単位時間（例えば１時間）毎に、系統電力の買電量、発電量のうち電力需要に供給される電力量、及び、余剰電力の売電量を算出する。
【００４６】
売電単価は所定の期間に亘って常に買電単価よりも大きいため、発電装置１３が発電した発電電力が電力需要を上回った場合の余剰電力を蓄電池１４に充電するよりも売電するほうが、電気料金が抑制される。具体的には、余剰電力を蓄電池１４に充電しても、売電単価３５円／ｋＷｈよりも単価が小さい買電単価２０円／ｋＷｈの電力量の購入量が減少するだけなので、余剰電力を売電単価３５円／ｋＷｈで売電することで電気料金が抑制される。ここで電気料金とは、系統電力の買電料金と余剰電力の売電料金の差額とする。
【００４７】
図５の（ａ）は、買電単価が時刻に応じて変動しない場合の買電単価と売電単価との間の大小関係の他の一例を示す図である。図５の（ａ）に示される実線は、買電単価を示し、点線は売電単価を示す。買電単価が２０円／ｋＷｈであり、売電単価が１０円／ｋＷｈであることが示されている。
【００４８】
図５の（ｂ）は、実施の形態に係る充放電制御装置１０の買電単価が時刻に応じて変動しない場合の動作の他の一例を示す図である。図５の（ｂ）は、具体的には、所定の期間（例えば２４時間）に亘って買電単価が時刻に応じて変動せず、買電単価が売電単価よりも大きい場合の、充放電制御装置１０の動作の一例を示す図である。図５の（ｂ）に示される実線は、電力需要を示し、点線は発電量を示す。領域１１０及び領域１２０は、図４の（ｂ）におけるものと同じであるため、説明は省略する。領域１４０は発電装置１３の発電電力が電力需要を上回った場合の余剰電力量であり蓄電池１４への充電量を示す。領域１５０は蓄電池１４に充電した電力の放電量を示す。算出部１１は、電力需要の予測値及び発電量の予測値に応じて、単位時間（例えば１時間）毎に、系統電力の買電量、発電量のうち電力需要に供給される電力量、蓄電池１４への余剰電力の充電量、及び、蓄電池１４の放電量を算出する。
【００４９】
売電単価は所定の期間に亘って常に買電単価よりも小さいため、発電装置１３が発電した発電電力が電力需要を上回った場合の余剰電力が売電されずに蓄電池１４に充電されるほうが、電気料金が抑制される。具体的には、余剰電力を売電しても、買電単価２０円／ｋＷｈよりも単価が小さい売電単価１０円／ｋＷｈでしか売電できないので、余剰電力を蓄電池１４に充電して買電単価２０円／ｋＷｈの系統電力の購入量を減少させることで、電気料金が抑制される。
【００５０】
このように、算出部１１は、買電単価と売電単価との間の大小関係に基づいて、余剰電力を蓄電池１４に充電するか否か判断する。具体的には、算出部１１は、所定の期間に亘って買電単価が売電単価よりも小さい場合、余剰電力を蓄電池１４に充電せずに売電すると判断し、所定の期間に亘って買電単価が売電単価よりも大きい場合、余剰電力を蓄電池１４に充電すると判断する。算出部１１は、余剰電力を蓄電池１４に充電すると判断した場合、図５の（ｂ）に示されるような電力需要の予測値及び発電量の予測値に応じて、余剰電力に基づく蓄電池１４の充電量を算出する。そして、制御部１２は、所定の期間において、蓄電池１４の余剰電力の充電及び充電のタイミングを算出部１１が算出した充電量に応じて制御する。具体的には、制御部１２は、図５の（ｂ）に示される余剰電力が発生するタイミングで算出部１１が算出した充電量を余剰電力から充電する。
【００５１】
次に、買電単価に関する電気料金プランが時刻に応じて変動する場合の充放電制御装置１０の動作について、図６から図９を用いて説明する。
【００５２】
図６の（ａ）は、買電単価が時刻に応じて変動する場合の買電単価と売電単価との間の大小関係の一例を示す図である。図６の（ａ）に示される実線は、買電単価を示し、点線は売電単価を示す。買電単価は９時から２１時の間が２８円／ｋＷｈ、２１時から９時の間が１５円／ｋＷｈであり、売電単価は３５円／ｋＷｈであることが示されている。つまり、所定の期間（０時から２４時）には、低価格時間帯（２１時から９時）と低価格時間帯よりも買電単価が大きい高価格時間帯（９時から２１時）とが含まれていることが示されている。
【００５３】
図６の（ｂ）は、実施の形態に係る充放電制御装置１０の買電単価が時刻に応じて変動する場合の動作の一例を示す図である。図６の（ｂ）は、具体的には、所定の期間（例えば２４時間）において買電単価が時刻に応じて変動し、所定の期間に亘って買電単価が売電単価よりも小さい場合の、充放電制御装置１０の動作の一例を示す図である。図６の（ｂ）に示される実線は、電力需要を示し、点線は発電量を示す。領域１１０、領域１２０及び領域１３０は、図４の（ｂ）におけるものと同じであるため、説明は省略する。領域１６０は低価格時間帯での系統電力の蓄電池１４への充電量を示す。領域１７０は高価格時間帯における電力需要が発電電力を上回った場合の、発電電力では賄いきれない電力である不足電力量を示す。領域１７０は、言い換えると高価格時間帯での蓄電池１４の放電量を示す。算出部１１は、電力需要の予測値及び発電量の予測値に応じて、単位時間（例えば１時間）毎に、系統電力の買電量、発電量のうち電力需要に供給される電力量、余剰電力の売電量、低価格時間帯での系統電力の蓄電池１４への充電量、及び、高価格時間帯での蓄電池１４の放電量を算出する。
【００５４】
売電単価は所定の期間に亘って常に買電単価よりも大きいため、発電装置１３が発電した発電電力が電力需要を上回った場合の余剰電力が蓄電池１４に充電されるよりも売電されるほうが、電気料金が抑制される。具体的には、余剰電力を蓄電池１４に充電しても、売電単価３５円／ｋＷｈよりも単価が小さい買電単価２８円／ｋＷｈの系統電力の購入量が減少するだけなので、余剰電力を売電単価３５円／ｋＷｈで売電することで電気料金が抑制される。また、高価格時間帯における発電電力のみでは賄いきれない不足電力量が発生するため、低価格時間帯において系統電力が蓄電池１４に充電されることで、電気料金が抑制される。具体的には、高価格時間帯における不足電力量を系統２００から高価格時間帯に買電単価２８円／ｋＷｈで購入するよりも、低価格時間帯に買電単価１５円／ｋＷｈで購入して蓄電池１４に充電しておくことで電気料金が抑制される。
【００５５】
図７の（ａ）は、買電単価が時刻に応じて変動する場合の買電単価と売電単価との間の大小関係の他の一例を示す図である。図７の（ａ）に示される実線は、買電単価を示し、点線は売電単価を示す。買電単価は９時から２１時の間が２８円／ｋＷｈ、２１時から９時の間が１５円／ｋＷｈであり、売電単価は１０円／ｋＷｈであることが示されている。
【００５６】
図７の（ｂ）は、実施の形態に係る充放電制御装置１０の買電単価が時刻に応じて変動する場合の動作の他の一例を示す図である。図７の（ｂ）は、具体的には、所定の期間（例えば２４時間）において買電単価が時刻に応じて変動し、所定の期間に亘って買電単価が売電単価よりも大きい場合の、充放電制御装置１０の動作の一例を示す図である。図７の（ｂ）に示される実線は、電力需要を示し、点線は発電量を示す。領域１１０、領域１２０及び領域１４０は、図５の（ｂ）におけるものと同じであり、領域１６０は図６の（ｂ）におけるものと同じであるため、説明は省略する。領域１７０ａ及び領域１７０ｂは高価格時間帯における電力需要が発電電力を上回った場合の、発電電力では賄いきれない電力である不足電力量を示す。領域１７０ａは、言い換えると、系統電力によって充電された蓄電池１４の放電量を示す。領域１７０ｂは、言い換えると、系統電力及び余剰電力によって充電された蓄電池１４の放電量を示す。算出部１１は、電力需要の予測値及び発電量の予測値に応じて、単位時間（例えば１時間）毎に、系統電力の買電量、発電量のうち電力需要に供給される電力量、蓄電池１４への余剰電力の充電量、低価格時間帯での系統電力の蓄電池１４への充電量、及び、蓄電池１４の放電量を算出する。
【００５７】
売電単価は所定の期間に亘って常に買電単価よりも小さいため、発電装置１３が発電した発電電力が電力需要を上回った場合の余剰電力が売電されるよりも蓄電池１４に充電されるほうが、電気料金が抑制される。具体的には、余剰電力を売電しても、高価格時間帯での買電単価２８円／ｋＷｈよりも単価が小さい売電単価１０円／ｋＷｈでしか売電できないので、余剰電力を蓄電池１４に充電して買電単価２８円／ｋＷｈの系統電力の購入量を減少させることで、電気料金が抑制される。また、高価格時間帯における不足電力量が発生し、かつ、余剰電力に基づく蓄電池１４の充電量で高価格時間帯における不足電力量を全て賄いきれない場合、低価格時間帯において系統電力が蓄電池１４に充電されることで、電気料金が抑制される。高価格時間帯における不足電力量が発生せず、電力需要を発電装置１３の発電量で全て賄いきれる場合、低価格時間帯において系統電力が蓄電池１４に充電される必要がない。また、高価格時間帯における不足電力量が発生しても、余剰電力に基づく蓄電池１４の充電量で不足電力量を全て賄いきれる場合も、低価格時間帯において系統電力が蓄電池１４に充電される必要がない。図７の（ｂ）では、高価格時間帯における不足電力量が発生し、かつ、余剰電力に基づく蓄電池１４の充電量で高価格時間帯における不足電力量を全て賄いきれないため、低価格時間帯において系統電力が蓄電池１４に充電される。これにより、高価格時間帯における不足電力量を系統２００から高価格時間帯に買電単価２８円／ｋＷｈで購入するよりも、低価格時間帯に買電単価１５円／ｋＷｈで購入することで電気料金が抑制される。
【００５８】
図８の（ａ）は、買電単価が時刻に応じて変動する場合の買電単価と売電単価との間の大小関係の他の一例を示す図である。図８の（ａ）に示される実線は、買電単価を示し、点線は売電単価を示す。買電単価は９時から２１時の間が２８円／ｋＷｈ、２１時から９時の間が１５円／ｋＷｈであり、売電単価は２０円／ｋＷｈであることが示されている。つまり、売電単価は低価格時間帯における買電単価よりも大きく高価格時間帯における買電単価よりも小さい。
【００５９】
図８の（ｂ）は、実施の形態に係る充放電制御装置１０の買電単価が時刻に応じて変動する場合の動作の他の一例を示す図である。図８の（ｂ）は、具体的には、所定の期間（例えば２４時間）において買電単価が時刻に応じて変動し、売電単価が低価格時間帯における買電単価よりも大きく高価格時間帯における買電単価よりも小さい場合の、充放電制御装置１０の動作の一例を示す図である。図８の（ｂ）に示される実線は、電力需要を示し、点線は発電量を示す。図８の（ｂ）に示される各領域は、図６の（ｂ）におけるものと同じであるため、説明は省略する。
【００６０】
高価格時間帯における発電電力のみでは賄いきれない不足電力量が発生するため、低価格時間帯において系統電力が蓄電池１４に充電されることで、電気料金が抑制される。具体的には、高価格時間帯における不足電力量を系統２００から高価格時間帯に買電単価２８円／ｋＷｈで購入するよりも、低価格時間帯に買電単価１５円／ｋＷｈで購入して蓄電池１４に充電しておくことで電気料金が抑制される。また、売電単価は低価格時間帯における買電単価よりも大きいため、余剰電力が蓄電池１４に充電されるよりも売電されるほうが、電気料金が抑制される。具体的には、余剰電力を蓄電池１４に充電しても、売電単価２０円／ｋＷｈよりも単価が小さい低価格時間帯での買電単価１５円／ｋＷｈの系統電力の購入量（充電量）が減少するだけなので、余剰電力を売電単価２０円／ｋＷｈで売電することで電気料金が抑制される。
【００６１】
このように、所定の期間には、低価格時間帯と低価格時間帯よりも買電単価が大きい高価格時間帯とが含まれる。算出部１１は、少なくとも高価格時間帯における電力需要が発電電力を上回った場合の、発電電力では賄いきれない電力である不足電力量が発生するか否かに基づいて、系統電力を蓄電池１４に充電するか否か判断する。算出部１１は、高価格時間帯における不足電力量が発生する場合、系統電力を蓄電池１４に充電すると判断する。なお、所定の期間に亘って買電単価が売電単価よりも大きい場合には、算出部１１は、高価格時間帯における不足電力量が発生し、かつ、余剰電力に基づく蓄電池１４の充電量で高価格時間帯における不足電力量を全て賄いきれない場合に、系統電力を蓄電池１４に充電すると判断する。そして、算出部１１は、電力需要の予測値及び発電量の予測値に応じて、蓄電池１４の放電量、系統電力に基づく蓄電池１４の充電量、及び、余剰電力に基づく蓄電池１４の充電量を算出する。このとき、算出部１１は、低価格時間帯での系統電力の蓄電池１４への充電量を算出し、制御部１２は、低価格時間帯において蓄電池１４の充電及び充電タイミングを、算出部１１が算出した充電量に応じて制御する。具体的には、制御部１２は、図６の（ｂ）から図８の（ｂ）に示される低価格時間帯（２１時から９時）のタイミングで算出部１１が算出した充電量を系統電力から充電する。また、算出部１１は、電気料金が最安値となる蓄電池１４の放電量を算出し、制御部１２は、蓄電池１４の放電及び放電タイミングを、算出部１１が算出した放電量に応じて制御する。ここで、電気料金が最安値となる蓄電池１４の放電量とは、例えば、高価格時間帯での蓄電池１４の放電量である。例えば、制御部１２は、図６の（ｂ）から図８の（ｂ）に示される高価格時間帯（９時から２１時）のタイミングで算出部１１が算出した放電量を放電する。
【００６２】
また、図６の（ｂ）及び図８の（ｂ）では、系統電力又は前日に放電されずに余った電力等が充電された蓄電池１４の放電量で、不足電力量の全てを賄えたが、蓄電池１４の容量又は蓄電池１４の最大充電レートによっては、不足電力量の全てを賄いきれないことがある。例えば、所定の期間において買電単価が時刻に応じて変動し、所定の期間に亘って買電単価が売電単価よりも小さい場合（図６の（ａ）の場合）に、蓄電池１４の放電量が不足電力量の全てを賄いきれない電力量の場合、蓄電池１４の放電量で賄えない電力量分は高価格時間帯において買電される。このとき、高価格時間帯における買電単価よりも売電単価の方が大きいため、余剰電力は売電される。また、所定の期間において買電単価が時刻に応じて変動し、売電単価が低価格時間帯における買電単価よりも大きく高価格時間帯における買電単価よりも小さい場合（図８の（ａ）の場合）に、蓄電池１４の放電量が不足電力量の全てを賄いきれない電力量の場合の充放電制御装置１０の動作について、図９を用いて説明する。
【００６３】
図９は、実施の形態に係る充放電制御装置１０の蓄電池１４の放電量で不足電力量の全てを賄いきれない場合の動作の一例を示す図である。図９は、具体的には、所定の期間（例えば２４時間）において買電単価が時刻に応じて変動し、売電単価が低価格時間帯における買電単価よりも大きく高価格時間帯における買電単価よりも小さい場合（図８の（ａ）の場合）に、系統電力が充電された蓄電池１４の放電量で不足電力量の全てを賄いきれない場合の充放電制御装置１０の動作の一例を示す図である。図９に示される実線は、電力需要を示し、点線は発電量を示す。図９に示される各領域は、図７の（ｂ）及び図８の（ｂ）におけるものと同じであるため、説明は省略する。
【００６４】
所定の期間において買電単価が時刻に応じて変動し、所定の期間に亘って買電単価が売電単価よりも小さい場合（図６の（ａ）の場合）に、蓄電池１４の放電量が不足電力量の全てを賄いきれない電力量の場合には、蓄電池１４の放電量で賄えない電力量分は高価格時間帯において買電され、余剰電力は全て売電される。より具体的には、高価格時間帯において、電力需要が発電量を超える時刻までは系統電力が買電され、電力需要が発電量を超えている間には余剰電力が売電され、発電量が電力需要を下回る時刻以降は系統電力が買電される。
【００６５】
しかし、売電単価が低価格時間帯における買電単価よりも大きく高価格時間帯における買電単価よりも小さい場合に、蓄電池１４の放電量が不足電力量の全てを賄いきれない電力量の場合には、余剰電力は蓄電池１４に充電される。具体的には、高価格時間帯における買電単価よりも売電単価の方が小さいため、図９に示されるように、蓄電池１４の放電量で賄えない電力量分を余剰電力からの蓄電池１４への充電量で賄う。つまり、売電単価２０円／ｋＷｈの余剰電力が売電され高価格時間帯における買電単価２８円／ｋＷｈの系統電力が買電されるよりも、売電単価２０円／ｋＷｈの余剰電力が充電されたほうが、電気料金が抑制される。そして、系統電力及び余剰電力の一部が充電された蓄電池１４の放電量で不足電力量の全てを賄いきれる場合、余剰電力の残りは売電される。
【００６６】
このように、算出部１１は、売電単価が低価格時間帯における買電単価よりも大きく高価格時間帯における買電単価よりも小さく、かつ、系統電力を蓄電池１４に充電すると判断した場合に、蓄電池１４の放電量が不足電力量の全てを賄いきれる電力量の場合、余剰電力を蓄電池１４に充電せずに売電すると判断し、蓄電池１４の放電量が不足電力量の全てを賄いきれない電力量の場合、余剰電力を蓄電池１４に充電すると判断する。
【００６７】
また、算出部１１は、低価格時間帯の開始時刻の所定の時間前に、蓄電池１４の放電量及び充電量を算出し、制御部１２は、低価格時間帯の開始時刻からの所定の期間において、蓄電池１４の充放電及び充放電のタイミングを算出部１１が算出した放電量及び充電量に応じて制御することが好ましい。つまり、算出部１１は、低価格時間帯の開始時刻の所定の時間前に、図６の（ｂ）から図８の（ｂ）に示される電力需要の予測値及び発電量の予測値に応じて蓄電池１４の放電量及び充電量を算出する。ここで、算出部１１が蓄電池１４の放電量及び充電量を算出することには、取得部２０が発電量の実績データ、電力需要の実績データ、天気予報データ及び価格データを取得し、予測部４０が電力需要の予測値及び発電量の予測値を算出することも含まれる。例えば、図６の（ａ）から図８の（ａ）に示されるように、低価格時間帯の開始時刻を２１時、所定の期間を２４時間とする。この場合、算出部１１は、２１時の所定の時間前に、蓄電池１４の放電量及び充電量を算出し、制御部１２は、２１時からの２４時間において、算出部１１が算出した放電量及び充電量に応じて充放電及び充放電のタイミングを制御する。また、所定の時間は、蓄電池１４の放電量及び充電量を算出するために必要な時間であり、例えば３０分等である。
【００６８】
これにより、制御部１２は、低価格時間帯の開始時刻から系統電力の蓄電池１４への充電を長時間に亘って行うことができる。したがって、高価格時間帯で発生する不足電力量の多くを低価格時間帯における系統電力による充電量で賄うことができる。
【００６９】
また、図６の（ａ）から図８の（ａ）では、所定の期間には、低価格時間帯と高価格時間帯とが含まれたが、これに限らない。例えば、高価格時間帯には、少なくとも第１高価格時間帯と第１高価格時間帯よりも買電単価が大きい第２高価格時間帯とが含まれてもよい。つまり、所定の期間には、低価格時間帯と第１高価格時間帯と第２高価格時間帯との少なくとも３つの価格帯が含まれてもよい。ここで、所定の期間に低価格時間帯と第１高価格時間帯と第２高価格時間帯との３つの価格帯が含まれる場合の制御部１２の動作について図１０及び図１１を用いて説明する。
【００７０】
図１０の（ａ）は、実施の形態に係る制御部１２の第１高価格時間帯に蓄電池１４の放電を開始する動作の一例を示す図である。図１０の（ｂ）は、実施の形態に係る制御部１２の第２高価格時間帯に蓄電池１４の放電を開始する動作の一例を示す図である。
【００７１】
図１１の（ａ）は、実施の形態に係る制御部１２の第１高価格時間帯に蓄電池１４の放電を開始する動作の他の一例を示す図である。図１１の（ｂ）は、実施の形態に係る制御部１２の第２高価格時間帯に蓄電池１４の放電を開始する動作の他の一例を示す図である。図１０及び図１１に示される各領域は、図６の（ｂ）におけるものと同じであるため、説明は省略する。
【００７２】
例えば、図１０及び図１１に示されるように、低価格時間帯（８円）を２３時から７時とし、第１高価格時間帯（２２円）を７時から１０時及び１７時から２３時とし、第２高価格時間帯（２８円）を１０時から１７時とする。また、図１０及び図１１では、図示していないが、所定の期間に亘って買電単価よりも売電単価が大きいとし、余剰電力は全て売電されるとする。なお、図１０では、高価格時間帯における不足電力量の全てを賄えるだけの電力量が低価格時間帯において充電されるが、図１１では、高価格時間帯における不足電力量の全てを賄えるだけの電力量は低価格時間帯において充電されないとする。つまり、図１１では、低価格時間帯における系統電力の蓄電池１４への充電量で賄いきれない電力量は高価格時間帯において買電されるとする。
【００７３】
高価格時間帯に第１高価格時間帯と第２高価格時間帯とが含まれ、第１高価格時間帯の次に第２高価格時間帯となる場合（例えば図１０及び図１１に示されるように７時から１０時が第１高価格時間帯になり１０時から１７時に第２高価格時間帯になる場合）には、第１高価格時間帯に蓄電池１４の放電を開始した方が良い場合と、第２高価格時間帯に蓄電池１４の放電を開始した方が良い場合とがある。
【００７４】
例えば、予測部４０が図１０の（ａ）及び図１０の（ｂ）に示されるような電力需要の予測値及び発電量の予測値を算出した場合、第１高価格時間帯に蓄電池１４の放電を開始した方が良い。
【００７５】
具体的には、図１０の（ａ）及び図１０の（ｂ）に示されるような電力需要及び発電量の場合、第２高価格時間帯では常に発電量が電力需要を上回っているため、第２高価格時間帯では蓄電池１４の放電は必要とならない。つまり、図１０の（ｂ）に示されるように、第２高価格時間帯の開始時刻（１０時）に蓄電池１４の放電を開始した場合、第２高価格時間帯では蓄電池１４の放電は必要とならず、第１高価格時間帯の７時から９時において無駄な買電が発生してしまう。したがって、この場合、図１０の（ａ）に示されるように、第１高価格時間帯の開始時刻（７時）に蓄電池１４の放電を開始した方が良い。
【００７６】
また、例えば、予測部４０が図１１の（ａ）及び図１１の（ｂ）に示されるような電力需要の予測値及び発電量の予測値を算出した場合、第２高価格時間帯に蓄電池１４の放電を開始した方が良い。
【００７７】
具体的には、図１１の（ａ）及び図１１の（ｂ）に示されるような電力需要及び発電量の場合、第２高価格時間帯では電力需要が発電量を上回っている時間が多いため、第２高価格時間帯で蓄電池１４の放電は必要となる。このとき、図１１の（ａ）に示されるように、第１高価格時間帯の開始時刻に蓄電池１４の放電を開始した場合、第２高価格時間帯での蓄電池１４の放電量は少なくなってしまい、第２高価格時間帯での買電量が増えてしまう。したがって、図１１の（ｂ）に示されるように、第２高価格時間帯の開始時刻に蓄電池１４の放電を開始した方が良い。
【００７８】
ただし、第１高価格時間帯における不足電力量及び第２高価格時間帯における不足電力量だけでなく蓄電池１４の容量も考慮する必要がある。例えば図１１の場合に、蓄電池１４の容量が７時から１０時の第１高価格時間帯及び１０時から１７時の第２高価格時間帯における不足電力量を全て賄いきれる容量の場合には、第１高価格時間帯の開始時刻に蓄電池１４の放電を開始した方がよい。
【００７９】
このように、高価格時間帯には、少なくとも第１高価格時間帯と第１高価格時間帯よりも買電単価が大きい第２高価格時間帯とが含まれ、制御部１２は、第１高価格時間帯における不足電力量及び第２高価格時間帯における不足電力量、並びに、蓄電池１４の容量に応じて、蓄電池１４の放電の開始時刻を決定する。
【００８０】
［効果等］
現状の電気料金プランは、日毎に変化するものではなく固定的であるが、将来的に電力が自由化されるにあたり、電気料金プランが多様化し日毎に変化することが想定される。
【００８１】
そこで、本実施の形態に係る充放電制御装置１０は発電装置１３が発電した発電電力、及び、系統２００からの系統電力を充電するための蓄電池１４の充放電を制御する充放電制御装置である。充放電制御装置１０は、所定の期間における、系統電力の買電単価と売電単価との間の大小関係、並びに、需要家１００における電力需要の予測値及び発電装置１３の発電量の予測値に応じて、蓄電池１４の放電量及び充電量を算出する算出部１１を備える。また、充放電制御装置１０は、所定の期間において、蓄電池１４の充放電及び充放電のタイミングを算出部１１が算出した放電量及び充電量に応じて制御する制御部１２を備える。
【００８２】
また、本実施の形態に係る充放電制御方法は、発電装置１３が発電した発電電力、及び、系統２００からの系統電力を充電するための蓄電池１４の充放電を制御する充放電制御装置１０の動作を制御する充放電制御方法である。この充放電制御方法では、所定の期間における、系統電力の買電単価と売電単価との間の大小関係、並びに、需要家１００における電力需要の予測値及び発電装置１３の発電量の予測値に応じて、蓄電池１４の放電量及び充電量を算出し、所定の期間において、蓄電池１４の充放電及び充放電のタイミングを算出した放電量及び充電量に応じて制御する。
【００８３】
また、本実施の形態に係るプログラムは、発電装置１３が発電した発電電力、及び、系統２００からの系統電力を充電するための蓄電池１４の充放電を制御する充放電制御装置１０の動作を制御するプログラムである。このプログラムは、充放電制御装置１０が備えるコンピュータに、所定の期間における、系統電力の買電単価と売電単価との間の大小関係、並びに、需要家１００における電力需要の予測値及び発電装置１３の発電量の予測値に応じて、蓄電池１４の放電量及び充電量を算出させ、所定の期間において、蓄電池１４の充放電及び充放電のタイミングを算出させた放電量及び充電量に応じて制御させる。
【００８４】
これにより、日毎に買電単価と売電単価とが変化する電気料金プランであっても、買電単価と売電単価との間の大小関係、並びに、電力需要の予測値及び発電量の予測値に応じて、電気料金を抑制するように蓄電池１４の放電量及び充電量を、需要家１００の負担なく制御することができる。したがって、多様化する電気料金プランに対応して電気料金を抑制することができる。
【００８５】
また、算出部１１は、買電単価と売電単価との間の大小関係に基づいて、発電電力が電力需要を上回った場合の余剰電力を蓄電池１４に充電するか否か判断する。算出部１１は、余剰電力を蓄電池１４に充電すると判断した場合、電力需要の予測値及び発電量の予測値に応じて、余剰電力に基づく蓄電池１４の充電量を算出する。
【００８６】
これにより、電気料金を抑制するように余剰電力を充電することができる。
【００８７】
また、算出部１１は、所定の期間に亘って買電単価が売電単価よりも小さい場合、発電電力が電力需要を上回った場合の余剰電力を蓄電池１４に充電せずに売電すると判断する。算出部１１は、所定の期間に亘って買電単価が売電単価よりも大きい場合、余剰電力を蓄電池１４に充電すると判断する。
【００８８】
これにより、買電単価と売電単価との間の大小関係に基づいて、余剰電力を充電するか売電するか判断することができる。したがって、電気料金を抑制するように余剰電力を充電又は売電することができる。
【００８９】
また、所定の期間には、低価格時間帯と低価格時間帯よりも買電単価が大きい高価格時間帯とが含まれる。算出部１１は、少なくとも高価格時間帯における電力需要が発電電力を上回った場合の、発電電力では賄いきれない電力である不足電力量が発生するか否かに基づいて、系統電力を蓄電池１４に充電するか否か判断する。算出部１１は、系統電力を蓄電池１４に充電すると判断した場合、電力需要の予測値及び発電量の予測値に応じて、系統電力に基づく蓄電池１４の放電量及び充電量を算出する。
【００９０】
これにより、買電単価が時刻に応じて変動し、高価格時間帯において不足電力量が発生する場合に、不足電力量を系統電力で賄うことができる。
【００９１】
また、算出部１１、低価格時間帯での系統電力の蓄電池１４への充電量を算出し、制御部１２は、低価格時間帯において、蓄電池１４の充電及び充電タイミングを算出部１１が算出した充電量に応じて制御する。
【００９２】
これにより、低価格時間帯において系統電力を蓄電池１４に充電することができるため、高価格時間帯における買電量を抑制することができ、電気料金を抑制することができる。
【００９３】
また、算出部１１は、電気料金が最安値となる蓄電池１４の放電量を算出し、制御部１２は、蓄電池１４の放電及び放電タイミングを算出部１１が算出した放電量に応じて制御する。
【００９４】
これにより、電気料金が最安値となるように蓄電池１４を放電することができるため、電気料金を抑制することができる。
【００９５】
また、高価格時間帯には、少なくとも第１高価格時間帯と第１高価格時間帯よりも買電単価が大きい第２高価格時間帯とが含まれる。制御部１２は、第１高価格時間帯における不足電力量及び第２高価格時間帯における不足電力量、並びに、蓄電池１４の容量に応じて、蓄電池１４の放電の開始時刻を決定する。
【００９６】
これにより、買電単価が時刻に応じて少なくとも３段階に変動する場合に、電気料金が最安となるように蓄電池１４の放電開始時刻を決定することができる。
【００９７】
また、算出部１１は、低価格時間帯の開始時刻の所定の時間前に、蓄電池１４の放電量及び充電量を算出し、制御部１２は、低価格時間帯の開始時刻からの所定の期間において、蓄電池１４の充放電及び充放電のタイミングを算出部１１が算出した放電量及び充電量に応じて制御する。
【００９８】
これにより、高価格時間帯で発生する不足電力量の多くを低価格時間帯における系統電力による充電量で賄うことができる。したがって、高価格時間帯において系統電力を買電することを抑制でき、電気料金を抑制することができる。
【００９９】
（その他の実施の形態）
以上、実施の形態に係る充放電制御装置１０、充放電制御方法及びプログラムについて説明したが、本発明は、上記実施の形態に限定されるものではない。
【０１００】
例えば、上記実施の形態では、所定の期間は２４時間であったが、これに限らない。例えば、所定の期間は１２時間等でもよく、電気料金を抑制できるように充放電制御装置１０が判断した期間であってもよい。例えば、買電単価の周期毎に応じた期間であってもよく、最安の買電単価の開始時刻（低価格時間帯の開始時刻）から次の最安の買電単価の開始時刻前までの期間であってもよい。
【０１０１】
また、例えば、上記実施の形態では、算出部１１は、所定の期間毎に蓄電池１４の放電量及び充電量を算出し、制御部１２は、所定の期間において蓄電池１４の充放電及び充放電のタイミングを算出部１１が算出した放電量及び充電量に応じて制御したが、これに限らない。例えば、所定の期間の途中に電力需要の予測値、発電量の予測値、価格データが変わる可能性があるため、算出部１１は、所定の期間の途中に蓄電池１４の放電量及び充電量を算出し直してもよい。この場合、制御部１２は、蓄電池１４の充放電及び充放電のタイミングを算出部１１が算出し直した放電量及び充電量に応じて制御してもよい。  なお、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【０１０２】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０３】
１０  充放電制御装置
１１  算出部
１２  制御部
１３  発電装置
１４  蓄電池
１００  需要家
２００  系統
【図１】
2019004529.tif 000003
【図２】
2019004529.tif 000004
【図３】
2019004529.tif 000005
【図４】
2019004529.tif 000006
【図５】
2019004529.tif 000007
【図６】
2019004529.tif 000008
【図７】
2019004529.tif 000009
【図８】
2019004529.tif 000010
【図９】
2019004529.tif 000011
【図１０】
2019004529.tif 000012
【図１１】
2019004529.tif 000013